(57)【要約】
【課題】　折り畳み式ディスクホルダの提供。
【解決手段】　二つの相互に突き合わせて結合される半体を具え、二つの半体の間に二つの連接片がその両端を以て枢設され、二つの連接片の中間が切断されて相互に枢設され、且つ二つの連接片の上端に相互に対応し波状を呈する凹部が形成され、二つの連接片の両末端の外縁に凸粒が凸設され、並びに二つの半体の内部に凸粒を位置決めするための位置決め溝が設けられ、二つの連接片が展開されて相互に平行状を呈し、且つ各凸粒が位置決め溝に位置決めされて展示状態を形成し、フレキシブルディスク或いはＣＤが二つの相互に対応する凹部内に挿入されるか、或いは二つの連接片がそれぞれ中間の枢設部分で内向きに折り畳まれて、二つの連接片が二つの半体内に収容され、体積を縮小し、携帯に便利とされる。
【選択図】　　　　図２
0003099543.tif 000002
【実用新案登録請求の範囲】
【請求項１】
　折り畳み式ディスクホルダにおいて、該折り畳み式ディスクホルダは二つの半体と二つの連接片を具え、
　該二つの半体は、相互に対向する端部に収容溝が形成され、二つの連接片は、展開されて平行な状態を呈するように二つの半体の間に枢設され、二つの連接片の両端に結合部が設けられ、各結合部が二つの半体の両端位置に枢設され、且つ二つの連接片がそれぞれ中段位置で切断されて枢設され、二つの連接片の上面に相互に対応するよう等距離に複数の凹部が配列されたことを特徴とする、折り畳み式ディスクホルダ。
【請求項２】
　請求項１記載の折り畳み式ディスクホルダにおいて、二つの収容溝の両端に隣接する位置にストッパ片が設けられ、且つ各結合部の末端に該ストッパ片に係止され得る切欠きが設けられたことを特徴とする、折り畳み式ディスクホルダ。
【請求項３】
　請求項２記載の折り畳み式ディスクホルダにおいて、二つの半体の二つの収容溝の各ストッパ片に隣接する両端の側壁に位置決め溝が凹設され、各結合部の上端と底端近くに割り溝が設けられて各結合部の両端外側に弾性片が設けられ、各弾性片の外側末端に位置決め溝内に嵌合可能な凸粒が凸設されたことを特徴とする、折り畳み式ディスクホルダ。
【請求項４】
　請求項１記載の折り畳み式ディスクホルダにおいて、二つの半体の対向方向の端面に相互に嵌合可能な凸柱と凹溝が設けられたことを特徴とする、折り畳み式ディスクホルダ。
【請求項５】
　請求項４記載の折り畳み式ディスクホルダにおいて、各結合部の切欠きと異なる外側に枢軸が凸設され、各枢軸が二つの収容溝の開口位置に枢設されたことを特徴とする、折り畳み式ディスクホルダ。
【考案の詳細な説明】
【技術分野】
【０００１】
　本考案は一種のディスクホルダに係り、特に折り畳みが行なえると共に、展開してＣＤ、フレキシブルディスクの展示が行なえる、便利なディスクホルダに関する。
【背景技術】
【０００２】
　周知のディスクホルダは大きく二種類に分けられ、その一つはオープンフレーム式で、もう一つは引き出し式である。この二種類のディスクホルダは、基本的な構造上、いずれも長方形或いは方形の箱体を具え、違いはオープンフレーム式のものは、箱体の少なくとも一面が完全に開放されて開口状とされ、箱体内の開口と反対側の端面に凹溝が配列されたスペーサが設けられ、複数のディスクが離間状態を以て対応する凹溝に収容される。引き出し式のものは、箱体内に引き出せる引き出しが設けられ、引き出し内に凹溝を具えたスペーサが設けられて対応する凹溝にディスクが収容され、箱体内に引き出しがスライド式に収容される。
【０００３】
　これらの周知のディスクホルダは、実際の使用上、固定された体積の箱体が収容空間を提供し、このため体積が大きく、体積を縮小することができず、携帯に不便である。
【考案の開示】
【考案が解決しようとする課題】
【０００４】
　本考案は従来のディスクホルダの実際の使用上の、折り畳み不能で、体積が大きく、携帯しにくい欠点を改善するものである。
【０００５】
　本考案の主要な目的は、一種の折り畳みできるディスクホルダを提供することにあり、このディスクホルダは折り畳んで体積を縮小して携帯に便利とすることができ、且つ使用時にディスクを完全に展示でき、使用者がディスクを出し入れしたり選択するのに便利で、使用の便利性が増されたものとする。
【課題を解決するための手段】
【０００６】
　請求項１の考案は、折り畳み式ディスクホルダにおいて、該折り畳み式ディスクホルダは二つの半体と二つの連接片を具え、
　該二つの半体は、相互に対向する端部に収容溝が形成され、二つの連接片は、展開されて平行な状態を呈するように二つの半体の間に枢設され、二つの連接片の両端に結合部が設けられ、各結合部が二つの半体の両端位置に枢設され、且つ二つの連接片がそれぞれ中段位置で切断されて枢設され、二つの連接片の上面に相互に対応するよう等距離に複数の凹部が配列されたことを特徴とする、折り畳み式ディスクホルダとしている。
　請求項２の考案は、請求項１記載の折り畳み式ディスクホルダにおいて、二つの収容溝の両端に隣接する位置にストッパ片が設けられ、且つ各結合部の末端に該ストッパ片に係止され得る切欠きが設けられたことを特徴とする、折り畳み式ディスクホルダとしている。
　請求項３の考案は、請求項２記載の折り畳み式ディスクホルダにおいて、二つの半体の二つの収容溝の各ストッパ片に隣接する両端の側壁に位置決め溝が凹設され、各結合部の上端と底端近くに割り溝が設けられて各結合部の両端外側に弾性片が設けられ、各弾性片の外側末端に位置決め溝内に嵌合可能な凸粒が凸設されたことを特徴とする、折り畳み式ディスクホルダとしている。
　請求項４の考案は、請求項１記載の折り畳み式ディスクホルダにおいて、二つの半体の対向方向の端面に相互に嵌合可能な凸柱と凹溝が設けられたことを特徴とする、折り畳み式ディスクホルダとしている。
　請求項５の考案は、請求項４記載の折り畳み式ディスクホルダにおいて、各結合部の切欠きと異なる外側に枢軸が凸設され、各枢軸が二つの収容溝の開口位置に枢設されたことを特徴とする、折り畳み式ディスクホルダとしている。
【考案の効果】
【０００７】
　本考案は一種の折り畳み式ディスクホルダを提供し、それは、二つの相互に突き合わせて結合される半体を具え、二つの半体の間に二つの連接片がその両端を以て枢設され、二つの連接片の中間が切断されて相互に枢設され、且つ二つの連接片の上端に相互に対応し波状を呈する凹部が形成され、二つの連接片の両末端の外縁に凸粒が凸設され、並びに二つの半体の内部に凸粒を位置決めするための位置決め溝が設けられ、二つの連接片が展開されて相互に平行状を呈し、且つ各凸粒が位置決め溝に位置決めされて展示状態を形成し、フレキシブルディスク或いはＣＤが二つの相互に対応する凹部内に挿入されるか、或いは二つの連接片がそれぞれ中間の枢設部分で内向きに折り畳まれて、二つの連接片が二つの半体内に収容され、体積を縮小し、携帯に便利とされる。
【考案を実施するための最良の形態】
【０００８】
　本考案は二つの半体と二つの連接片を具え、該二つの半体は相互に突き合わされ結合されてケース状を形成し、二つの半体の対向する面に収容溝が形成され、二つの連接片は転換して平行状を呈するように二つの半体の間に枢設され、且つ二つの連接片の両端に結合部が設けられ、各結合部が二つの半体の両端位置に枢設され、且つ二つの連接片の中間が切断されて枢設され、二つの連接片の上面に対応する複数の凹部が等間隔に設置されている。
【０００９】
　二つの半体が突き合わされて接合され、並びに二つの連接片が折り畳まれた後に半体の収容溝に収容され、体積が縮小されて携帯に便利とされ、及び簡単に引っ張って二つの半体を分離すれば、二つの連接片が展開されて平行状態となり、各ディスクを間隔状態で二つの連接片の対応する凹溝内に立てて収容し展示することができる。
【実施例１】
【００１０】
　図１及び図２に示されるように、本考案の折り畳み式のディスクホルダは、二つの相互に突き合わされて接合されて長方形のケース状を形成する二つの半体１０を具え、二つの半体１０の対向方向内にそれぞれ収容溝１１が形成され、且つ二つの収容溝１１の両端に隣接する位置にストッパ片１２が設けられ、二つの半体１０の二つの収容溝１１の各ストッパ片１２に隣接する両端の側壁に位置決め溝１３が凹設され、二つの半体１０の相互に対向する端面に、相互に嵌合する凸柱１４と凹溝１５が設けられている。図１に示される実施例では、各半体１０の対向する各端面の一側に凸柱１４が、もう一側に凹溝１５が設けられている。
【００１１】
　二つの連接片２０は展開して平行状態を形成できるように、二つの半体１０の間に枢設され、且つ二つの連接片２０の両端に結合部２１が設けられ、各結合部２１の末端にそれぞれ各ストッパ片１２に隣接する位置に向けて切欠き２２が設けられ、且つ切欠き２２と異なる外側に枢軸２３が設けられ、各枢軸２３が二つの収容溝１１の開口位置に枢設され、各結合部２１の上側と底側の末端に割り溝２４が凹設されて、これにより各結合部２１の両端外側に二つの弾性片２５が形成され、且つ各弾性片２５の外側末端に該位置決め溝１３内に嵌合可能な凸粒２６が凸設され、二つの連接片２０の上面に対応する波状の凹部２７が形成されている。
【００１２】
　以上の構造により、ディスク３０を展示する使用状態の時、図１及び図３に示されるように、二つの半体１０が引き離され、連接片２０が中間の枢設位置及び各枢軸２３位置で回転して展開され、二つの連接片２０が相互に平行状とされ、且つ切欠き２２が各ストッパ片１２に係止され、各凸粒２６が各位置決め溝１３内に収容され、二つの半体１０と二つの連接片２０位置決めを形成し、各ディスク３０が二つの相互に対応する凹部２７内に跨設されて、各ディスク３０がディスクホルダにおいて展示される。
【００１３】
　折り畳み状態の時、図３及び図５に示されるように、二つの連接片２０が中段の枢設位置で相互に折り畳まれ、且つ各凸粒２６が各弾性片２５をやや圧縮し、各凸粒２６が各位置決め溝１３内より脱出し、二つの連接片２０がそれぞれ中段で折り畳まれ、且つ二つの連接片２０がほぼ水平状態で二つの半体１０の収容溝１１内に収容され、二組の凸柱１４と凹溝１５の嵌合により、体積が小さく携帯に便利な形態とされる。
【図面の簡単な説明】
【００１４】
【図１】本考案の展開状態の斜視図である。
【図２】本考案の分解斜視図である。
【図３】本考案の半展開状態の平面断面図である。
【図４】本考案の折り畳み状態の斜視図である。
【図５】本考案の局部断面図である。
【符号の説明】
【００１５】
１０　半体
１１　収容溝
１２　ストッパ片
１３　位置決め溝
１４　凸柱
１５　凹溝
２０　連接片
２１　結合部
２２　切欠き
２３　枢軸
２４　割り溝
２５　弾性片
２６　凸粒
２７　凹部
３０　ディスク
【図１】
0003099543.tif 000003
【図２】
0003099543.tif 000004
【図３】
0003099543.tif 000005
【図４】
0003099543.tif 000006
【図５】
0003099543.tif 000007